(57)【要約】【課題】軽量且つ即効性の高い楽器用吸汗シートと、これを用いた吸汗セットを提供することを目的とする。【解決手段】バイオリン１の顎当て２に対し、顎当て本体２０１を包むように釣鐘状の吸汗シート１を配設する。当該吸汗シート３Ａとして、再剥離性粘着材３０４、フィルム基材３０３、ポリアクリル酸ナトリウム系高吸水性樹脂からなる吸収材３０２、通気性を有する被覆材３０１を順次積層し、前記被覆材３０１が演奏者の肌（顎）に直接触れるように配設する。【選択図】図２
2006350042.tif 000002
【特許請求の範囲】
【請求項１】
通気性を持つ被覆材と耐水性を持つフィルム基材の間に有機高分子吸水材が積層され、これを成形してなるシート体に対し、再剥離性粘着材が配設された構成を有する
ことを特徴とする弦楽器用吸汗シート。
【請求項２】
前記有機高分子吸水材は、デンプン系、カルボキシメチルセルロース系、ポリアクリル酸系、ポバール系のうちいずれかの系に属する高吸水性樹脂を含んでなる
ことを特徴とする請求項１に記載の弦楽器用吸汗シート。
【請求項３】
前記被覆材は、紙材料、フェルト材料或いは通気孔が設けられた樹脂フィルムの少なくともいずれかを用いてなる
ことを特徴とする請求項１又は２に記載の弦楽器用吸汗シート。
【請求項４】
前記再剥離性粘着材は、ヒアルロン酸系、ポリアクリル酸系のうちいずれかの系に属する材料を用いてなる
ことを特徴とする請求項１〜３のいずれかに記載の弦楽器用吸汗シート。
【請求項５】
弦楽器用吸汗シートは、前記再剥離性粘着材を用いてバイオリンの補助固定具或いは前記弦楽器の側板部分に配設される構成である
ことを特徴とする請求項１〜４のいずれかに記載の弦楽器用吸汗シート。
【請求項６】
前記補助固定具は、バイオリンに対して配された顎当て若しくは肩当てであり、当該補助固定具の表面の少なくとも演奏者の身体と触れる領域において、被着される構成である
ことを特徴とする請求項５に記載の弦楽器用吸汗シート。
【発明の詳細な説明】
【技術分野】
【０００１】
本発明は、バイオリン等の弦楽器に対して汗の付着を防止する吸汗シートに関する。
【背景技術】
【０００２】
代表的な弦楽器の一つであるバイオリンは、一般には演奏者がその筐体を一方の肩に載せ、筐体の端部を肩と顎の間で挟むことで固定しながら演奏される。
このバイオリンの固定は、演奏者の加減により肩と顎にある程度の力を掛けてなされるが、演奏者の体力、熟練度、体格等の理由でうまく固定できない場合がある。そこで固定用補助器具として、バイオリンの筐体に別途、演奏者の顎をズレなく載せるためのパッド（顎当て）や、特許文献１に示すように肩当て（ショルダーレスト）と称されるものが使用される。
【特許文献１】特開２００３−０１０６３１号公報
【発明の開示】
【発明が解決しようとする課題】
【０００３】
一方、バイオリン等の弦楽器の有する固有の課題として、水分を吸うことで材料特性が変わってしまい、好ましくない音響効果の変化を生じる問題がある。
前記吸水が起きる原因としては、弦楽器の保存される環境の湿度、気候等の諸条件が挙げられるが、演奏者の発汗作用によるところも無視できない。すなわち、演奏中に演奏者がバイオリンに触れることで、演奏者の汗がバイオリンに移り、吸汗されることがある。このような吸汗の量は、バイオリンに演奏者が触れる面積に比例して増大するが、前記固定用補助器具を用いる場合にも、当該器具を介して演奏者の肌に由来する汗がバイオリン本体に流れる余地が存在する。具体的に本願発明者らが検討したところ、バイオリンの演奏に際しては、演奏者の顎、首、肩周辺にバイオリンが近接するので、特にこの領域を中心に演奏者の汗がバイオリンに付着しやすい傾向が見られる。
【０００４】
さらに汗は弱酸性溶液の性質を有することから、バイオリンに付着すると表面のニスが侵される原因となる。また汗が木製の筐体に永年にわたり浸み込むと材料の膨潤を生じ、最悪の場合、割れ等の問題も生じうる。
このような問題は、例えば高価なバイオリンを演奏する場合や、或いは骨董として長期間保存される貴重なバイオリンを演奏する際に、特に表面化しやすいものである。従って、是非解決すべき課題として残されている。
【０００５】
なお、従来では予めバイオリンへの吸汗を防ぐ手段として、シリカゲル等の無機材料を楽器収納器や楽器本体に配設し、これにより水分除去を行う試みもなされてはいるが、効果的な吸水作用を得るためには相当量のシリカゲルを利用する必要があり、楽器収納器或いは楽器本体の重量が重くなる等の別の問題も生じる。
本発明は以上の課題に鑑みてなされたものであって、比較的軽量でありながら、即効性の高い楽器用吸汗シートと、これを用いた吸汗セットを提供することを目的とする。
【課題を解決するための手段】
【０００６】
上記課題を解決するために、本発明は、通気性を持つ被覆材と耐水性を持つフィルム基材の間に有機高分子吸水材が積層され、これを成形してなるシート体に対し、再剥離性粘着材が配設された構成を有する弦楽器用吸汗シートとした。
ここで前記有機高分子吸水材としては、デンプン系、カルボキシメチルセルロース系、ポリアクリル酸系、ポバール系のうちいずれかの系に属する高吸水性樹脂を含んで構成することが可能である。
【０００７】
また前記被覆材としては、紙材料、フェルト材料或いは通気孔が設けられた樹脂フィルムの少なくともいずれかを用いて構成できる。
さらに前記再剥離性粘着材としては、ヒアルロン酸系、ポリアクリル酸系のうちいずれかの系に属する材料を用いて構成することができ、前記耐水性を持つフィルム基材の表面に塗布して使用できる。
【０００８】
このような本発明の弦楽器用吸汗シートは、具体的には前記再剥離性粘着材を用いてバイオリンの補助固定具或いは前記弦楽器の側板部分に配設される構成とすることができる。
ここで前記補助固定具としては、バイオリンに対して配された顎当て若しくは肩当てであり、当該補助固定具の表面の少なくとも演奏者の身体と触れる領域において、被着される構成とすることができる。
【発明の効果】
【０００９】
本発明の弦楽器用吸汗シートでは、従来のようにシリカゲル等の無機材料ではなく、有機高分子材料からなる吸水材（具体的にはデンプン系、カルボキシメチルセルロース系、ポリアクリル酸系、ポバール系のうちいずれかの系に属する高吸水性樹脂）を用いて構成される。このため、前記無機材料に比べて非常に軽量でありながら、吸水作用も格段に大きい（具体的にはシリカゲルに比べて数倍から数百倍の水分を吸収できる）。
【００１０】
また、前記吸水材は十分な通気性を持つ被覆材を通じて良好に水分と接触することができ、被覆材を構成する繊維間隙において水分流路の確保が図られる。これにより、激しい演奏によって演奏者から流れ落ちる汗がどのように顎当て付近に付着したとしても、良好に吸収されることとなり、飛躍的に高い即効性で前記吸汗効果が発揮される。このように本発明の吸汗シートを用いれば、高価なバイオリンや古く貴重なバイオリン等を演奏する場合であっても、汗による変質を抑制し、長期にわたり良好に保存できるといったメリットもある。
【発明を実施するための最良の形態】
【００１１】
以下、本発明の実施の形態について説明する。
＜実施の形態１＞
図１は、実施の形態１における吸汗シートのバイオリンへの適用例を示す図である。図２は、吸汗シートの断面図であり、図３は、顎当てへの吸汗シートの配設方法を示す図である。
【００１２】
バイオリン１は、一般には乾燥処理及びニス加工処理した木製の表板１０１と裏板１０４を、魂柱（不図示）を挟んで対向配置させ、その周囲を側壁１０３で囲繞された筐体１０を有している。表板１０１の長手方向には複数本の弦１１３とともにネック１１１、指板１１２、ブリッジ１１４及びテールピース１１５が配され、さらにその下流側においてテールピース１１５の後部１１６がボルト状のエンドピン１０２で固定された構成となっている。
【００１３】
そして前記エンドピン１０２付近には図１に示すように、補助固定器具として半円状の主面２０２及びリブ２０３を有する顎当て本体２０１を備える顎当て２がオプションとして配設される。当該顎当て２は木製或いは柔軟なゴム等で構成されてなるものであって、バイオリンの構成要素ではないが演奏時に演奏者が顎を載せることで、バイオリンの固定を行いやすくするものである。
【００１４】
本実施の形態１における吸汗シート３Ａは、ここでは図１に示すように前記顎当て本体２０１に取着されるものとしている。
当該吸汗シート３Ａは、構造的には例えば特開平７−３３８１８号公報に開示された吸水性樹脂を利用してなる衛生吸水材（所謂紙おむつ、生理用品等）と公知のものであり、図２の模式的な断面図に示されるように、下から上に再剥離性粘着材３０４、フィルム基材３０３、吸水材３０２、通気性を有する被覆材３０１を順次積層させてなる構造を有している。
【００１５】
再剥離性粘着材３０４は、ポリアクリル樹脂、ヒアルロン酸デキストリン等の粘着材料で構成されている。
フィルム基材３０３は、ポリプロピレン等の耐水性に優れる薄い樹脂フィルム基材から構成され、吸水材からの水分が顎当て本体２０１側へ侵入するのを防止する効果をなす。なお、当該フィルム基材はポリプロピレンの他、ナイロン、ポリエチレン等各種オレフィン系フィルム等を用いることが可能である。
【００１６】
吸水材３０２は、例えばＳＡＰ（Ｓｕｐｅｒ  Ａｂｓｏｒｂｅｎｔ  Ｐｏｌｙｍｅｒｓ）と称される高吸水性樹脂（市販品として三洋化成工業株式会社製「ＳＡＰシート」より入手できる）からなり、ポリアクリル酸ナトリウムの三次元架橋構造体からなる骨格を主とする成分から構成される。当該ＳＡＰシートは水と接触すると短期間において自重の数百倍から千倍程度の量の吸水作用をなし、膨潤してゲル化するが、本発明では演奏者の吸汗が目的であるため、ゲル化するほどの大量の吸水性能は要求されない。従って吸水性能はそれほどシビアでなくてもよく、幅広い吸水性樹脂材料が利用可能である。例えば上記ポリアクリル酸ナトリウムのほか、デンプン系、カルボキシメチルセルロース系、ポリアクリル酸系、ポバール系のうちいずれかの系に属する材料を用いることが可能である。
【００１７】
なお、吸水材３０２は前記骨格材料を単体で用いるほか、例えば綿状パルプ材料と混合して用いることで、クッション性或いは吸水効果を高める工夫を行ってもよい。
被覆材３０１は、通気性に優れるビスコース材料（紙ナプキン等に使用される耐性紙）で構成されており、前記フィルム基材３０３との間で吸水材３０２を保持する役目をなす。また、演奏者の顎付近の肌と直接触れることで、素早く汗を吸収し、これを吸水材３０２へ浸透させる効果も奏するようになっている。
【００１８】
当該吸汗シート３Ａは、図２で説明した積層構造からなる材料を用い、全体的には図３の如く釣鐘状に形成し、これを側面から押しつぶしてなる。具体的に吸汗シート３Ａは、外部には被覆材３０１が配置するようにされ、他方の粘着材３０４は、前記釣鐘形状における開口部３０５周辺の位置に合わせて配設されている。この粘着材３０４の配設位置は、吸汗シート３Ａの配設を容易にするために設けたものであるが、貼着性を高めるためには、フィルム基材３０３の全面に設けるようにしてもよい。
【００１９】
ここで被覆材２０１としては、通気性及び汗を吸い取るために或程度の親水性を有していればいずれの材料であってもよく、例えば前述の他、フェルト、多孔性フィルム基材等を用いてもよい。
また、粘着材３０４としては使用後に吸汗シート３Ａを顎当て２から良好に外すことができればいずれの構成であってもよく、例えば再剥離性材料の他、両面テープや面ファスナー等の一般的な貼着材料を用いることもできる。
【００２０】
＜吸汗シートの効果について＞
以上の構成を有する吸汗シート３Ａによれば、使用時には開口部３０５より顎当て２の顎当て本体２０１に挿通され、リブ２０３付近において粘着材３０４を押しつけることで貼着される。
【００２１】
その後はクランプ金具２１０を利用して、バイオリン１へ顎当て２を装着する。なお、バイオリン１と顎当て本体２０１との隙間が十分あり、操作手順的に煩わしさがそれほどない場合等には、当然ながら顎当て２をバイオリン１に装着したままで吸汗シート３Ａを配設しても構わない。
そして演奏時には、図４の模式図に示すように、演奏者が顎当て２を利用する際において吸汗シート３Ａの被覆材３０１上に顎が位置する。ここにおいて、演奏者が顎当てを中心に顎と肩の間で強く挟み込み、激しい演奏を行った結果、相当に発汗したとしても、当該汗は演奏者の肌と直接触れる吸汗シート３Ａにおいて良好に吸収され、それ以上バイオリン１側へ流れ落ちることはない。
【００２２】
すなわち、吸汗シート３Ａの吸水材３０１に用いられている吸水性樹脂は、自重の数百倍から数千倍の水分を立体構造中に取り込んで保持することが可能となっているから、経時的に汗を吸収できずにオーバーフローすることはない。
また、吸水材３０１の下に配設されたフィルム基材３０３により、いったん吸水材３０１中に取り込まれた水分がにじみ出て、バイオリン１側へ浸み込むことが効果的に防止される効果もある。
【００２３】
なお、本実施の形態１によれば、吸水材３０２は十分な通気性を持つ被覆材３０１を通じて良好に水分と接触することができるから、被覆材を構成する繊維間隙において水分流路の確保が図られる。その結果、演奏者から流れ落ちる汗がどのように顎当て付近に付着したとしても、良好に吸収されることとなり、飛躍的に高い即効性で前記吸汗効果が発揮される。
【００２４】
以上のように、本発明の吸汗シート３Ａを用いれば、演奏時に汗がバイオリンに付着し、吸水されるのを効果的に防ぐことが可能である。すなわち、汗は弱酸性溶液の性質を有しており、木製材料からなるバイオリンの筐体に浸食してセルロース繊維・リグニン繊維構造を膨潤させ、機械的強度及び振動強度を変出させうる。また、表面にコーティングされたニス塗膜に対しては、前記木製材料が汗を吸うことで膨張収縮を起こすと物理破壊を引き起こす他、化学的にも侵すおそれもがあり、いずれもバイオリンには好ましくない問題の原因となりうる。
【００２５】
これに対して本発明の吸汗シートを用いれば、高価なバイオリンや古く貴重なバイオリン等を演奏する場合であっても、汗による音響効果の不要な変化を抑制し、長期にわたり良好に保存できるといった効果が奏されることとなる。
＜顎当て用吸汗シートのその他のバリエーションについて＞
上記実施の形態１では、顎当て本体２０１を全体的に覆う吸汗シート３Ａの構成について説明したが、本発明は当該吸汗シート３Ａの構成に限定するものではなく、バイオリンに対し、演奏者の汗が付着しにくいように吸汗シートを配設できる形状であればよい。
【００２６】
以下、本発明のその他のバリエーションについて説明する。
図５に示される（ａ）〜（ｃ）は、いずれも顎当て２に対して配設する吸汗シートである。
まず図５（ａ）に示す吸汗シート３Ｂは、前記吸汗シート３Ａに比べて小型の釣鐘形状を有しており、装着時には顎当て本体２０１のリブ２０３が露出される。一般に演奏者は顎当てを利用する際、リブ付近より内側に顎を強く押し当てる傾向があるので、リブ付近に吸汗シートが位置していなくてもよい場合がある。図５（ａ）ではこのような使用形態においても吸汗効果が得られる構成の一つとして利用できるものである。
【００２７】
次に、図５（ｂ）に示される吸汗シート３Ｃは、前記３Ａ、３Ｂのように顎当て本体２０１に一体的に被せるものではなく、顎当て本体２０１の主面２０２に直接貼着する構成としている。顎当ての裏面は、基本的に演奏者の肌が触れることはないので、この構成では当該裏面に吸汗シートの配設を省略した構成としたものである。このような構成によっても、３Ａ、３Ｂに比べて何ら遜色なく同様の効果を期待することができる。
【００２８】
図５（ｃ）に示される吸汗シートＤは、顎当て本体２０１の半円形状に合わせた２つの主面３１０、３１１を持つ両面開き構造を有し、フィルム基材３０４の周囲を囲繞するように粘着材３０４が配設された構成を持つ。以上の構成によっても、前記３Ａ〜３Ｃと同様の効果が奏されるほか、一度使用した後は、未使用状態に等しい裏面に位置する前記主面３１１について主面２０２に張り替えることで、結果的に１つの吸汗シートＤを二度使用することも可能であり経済的である。
【００２９】
なお、このような二度使用については、当然ながら、３Ａについても同様に行うことが出来る。
さらに図６は、吸汗シートをポケット型として形成した構成について示すものである。図６（ａ）は吸汗シートの構成、図６（ｂ）は当該吸汗シートの取着例をそれぞれ示す。
当図６（ａ）に示される吸汗シートＥは、前記吸汗シートを利用した上面部３２０とポケット部３２１とで形成され、通し孔３２３を通じて輪ゴム３２４が取着された構成を持つ。上面部３２０は顎当て本体２０１の主面２０２に合わせた形状を有しており、ポケット部３２１は顎当て本体２０１の先端より被着されるようになっている。なお、図６ではポケット部３２１のサイズを上面部３２０よりも小さくしているが、本発明はこの形状に限定するものではなく、例えば上面部と同様の大きさとしてもよい。こうすることで顎当て本体における吸汗シートのフィット性が向上し、位置ずれしにくくなる。
【００３０】
以上の構成を持つ吸汗シート３Ｅによれば、使用時には図６（ｂ）に示すように、ポケット部３２１を顎当て本体２０１の先端から被せつつ、ゴム３２４を引っ張ってエンドピン１０２に引っかける。これにより吸汗シート３Ｅにはゴム３２４による引っ張り力が及ぶので、顎当て本体２０１において良好に保持され、前記３Ａ〜３Ｄと同様の優れた吸汗効果が呈されるｋととなる。
【００３１】
＜実施の形態２＞
次に、本発明の実施の形態２について説明する。実施の形態１では、バイオリンの顎当てに吸汗シートを適用する構成としたが、本実施の形態２はバイオリンのショルダーレスト（肩当て型の固定補助器具）に吸汗シートを適用したものである。
【００３２】
図２は、代表的なショルダーレストの構成（図２（ａ））と本発明の吸汗シートの適用例（図６（ｂ））を示す。
ショルダーレスト４は、角柱状の木材を加工処理したレスト本体４０１と、当該レスト本体４０１の長手方向両端部に設けられたクランプ４０Ｒ、４０Ｌとで構成される。クランプ４０Ｒ、４０Ｌは、それぞれＬ字金具４３Ｒ、４３Ｌにくの字状のツメを有するクランプ部４２Ｒ、４２Ｌが取着された構成を有しており、レスト本体４０１の長手方向両端部に形成された溝４０２Ｒ、４０２Ｌに嵌合されたＬ字金具４３Ｒ、４３Ｌが前記長手方向に沿ってスライドし、ネジ４１Ｒ、４１Ｌにより任意の位置で固定できるようになっている。
【００３３】
以上の構成を持つショルダーレスト４によれば、本実施の形態２の吸汗シート３Ｆはレスト本体４０１の裏面４０４に粘着材３０４を用いて貼着される。その後、ショルダーレスト４は図６（ｂ）の如く、前記クランプ４０Ｒ、４０Ｌを利用してバイオリン１の裏板１０４を横断するように固定される。これによりレスト本体４０１の裏面４０４には、吸汗シート３Ｆの被覆材３０１が露出するようになり、使用時には演奏者の肩と接触して、効果的に吸汗作用がなされる。従って、演奏者の肩に起因する汗がバイオリンの裏板１０４に触れるのが防止され、実施の形態１と同様に、汗によるバイオリンの音質変化等の問題を回避する効果が奏される。
【００３４】
なお、ショルダーレストと顎当ての両方を使用する場合には、これらの両方に吸汗シート３Ａ〜３Ｆのいずれかを合わせて使用すると、いっそう効果的に吸汗作用がなされるため望ましい。即ちこのような使用によれば、顎当て２から直接吸汗作用がなされるとともに、ショルダーレスト４からも吸汗作用がなされ、バイオリン１の表板１０１、裏板１０４の双方において優れた防汗作用が発揮されることとなる。
【００３５】
＜その他の事項＞
上記実施の形態１では、バイオリンに適用する例を示したが、本発明はバイオリンの他、ウクレレ、ビオラ、コントラバス、ベース、チェロ等の各種弦楽器にも適用することが可能である。その場合、顎当てやショルダーレストのように、演奏者の肌に直接触れる楽器部分、或いは補助固定具の表面に前記吸汗シートを配設することが望ましい。
【００３６】
ここで図８は、本発明の吸汗シートをチェロへ適用した例を示す図である。当図８に示すように、チェロにおいても演奏者の汗は演奏者の腕が頻繁に触れるチェロ５の側板５０１の上部付近及びネック５０３の根本付近に付着しやすい。このため、当該領域に帯状の吸汗シート３Ｇ（構成は３Ｆと同様である）を貼着しておくと、良好な吸汗効果が発揮される。なお、ビオラ、コントラバス、ベース等にも当該チェロ５と同様の方法で吸汗シート３Ｇを利用できるのはいうまでもない。
【００３７】
また、本発明の吸汗シートは、基本的には白色系の色（例えば被覆材が紙で構成されるため）をしている。このため、演奏の状況によっては楽器との色度調整を図りたいとの要望も考え得るが、この場合は所望の色に染色したり、そのような配色の被覆材を選択することで、自由に対応が可能である。
【産業上の利用可能性】
【００３８】
本発明の弦楽器用吸汗シートは、例えばバイオリン、ビオラ、チェロ等の顎当て、ショルダーレスト等、或いは楽器本体の側板等に貼着することで利用可能である。
【図面の簡単な説明】
【００３９】
【図１】本発明の実施の形態１における吸汗シートの適用例を示す模式図である。
【図２】吸汗シートの構成を示す模式断面図である。
【図３】実施の形態１の吸汗シートの装着例を示す図である。
【図４】実施の形態１の吸汗シートの使用例を示す図である。
【図５】本発明の吸汗シートのバリエーション（顎当てへの適用例）を示す図である。
【図６】本発明の吸汗シートのバリエーション（顎当てへの適用例）を示す図である。
【図７】本発明の吸汗シートのバリエーション（ショルダーレストへの適用例）を示す図である。
【図８】本発明の吸汗シートのバリエーション（チェロへの適用例）を示す図である。
【符号の説明】
【００４０】
１    バイオリン
２    顎当て
３Ａ〜３Ｆ    吸汗シート
４    ショルダーレスト
５    チェロ
１０１、５０２    表板
１０２    エンドピン
１０３、５０１    側板
１０４    裏板
２０１    顎当て本体
２０２    主面部
２０３    リブ
２１０    クランプ金具
３０１    通気性を有する被覆材
３０２    吸水材（吸水性樹脂）
３０３    フィルム基材
３０４    再剥離性粘着材
３０５    開口部
４０１    レスト本体
４０３    レスト本体の裏面
【図１】
2006350042.tif 000003
【図２】
2006350042.tif 000004
【図３】
2006350042.tif 000005
【図４】
2006350042.tif 000006
【図５】
2006350042.tif 000007
【図６】
2006350042.tif 000008
【図７】
2006350042.tif 000009
【図８】
2006350042.tif 000010